(57)【特許請求の範囲】
【請求項１】
鍵と、鍵が押下されることにより回動するハンマアセンブリと、回動する上記ハンマアセンブリにより打撃される被打撃部と、押下された鍵の動作を上記ハンマアセンブリに伝達するアクション機構とを備えた鍵盤楽器において、
前記被打撃部は、緩衝材と弾性部材の多層構造からなり、
前記弾性部材は、金属材料または弾性のある合成樹脂を前記ハンマアセンブリにより打撃される部分を前記ハンマアセンブリ側に屈曲してなる板バネであり、
前記緩衝材は、繊維系、若しくは皮革系または弾力性のある合成樹脂系の材料からなる
ことを特徴とする鍵盤楽器。
【請求項２】
複数の鍵と、各鍵が押下されることにより回動する複数のハンマアセンブリと、回動する上記各ハンマアセンブリにより打撃される被打撃部と、押下された各鍵の動作を上記各ハンマアセンブリに各々伝達する複数のアクション機構とを備えた鍵盤楽器において、
前記被打撃部は、緩衝材と弾性部材の多層構造からなり、
前記弾性部材は、金属材料または弾性のある合成樹脂を前記各ハンマアセンブリにより打撃される部分を前記ハンマアセンブリ側に屈曲してなる板バネであり、
前記緩衝部材は、繊維系、若しくは皮革系または弾力性のある合成樹脂系の材料からなる
ことを特徴とする鍵盤楽器。
【請求項３】
前記弾性部材は、
前記各ハンマアセンブリにより打撃される各部分が、各部分単位、若しくは、複数の部分単位で分割されて屈曲されており、
前記分割された各部分が、形状の違いにより高音側から低音側に移るに従って、前記各ハンマアセンブリにより打撃された時のたわみ量が徐々に大きくなるようにされていることを特徴とする請求項２に記載の鍵盤楽器。
【請求項４】
前記弾性部材は、
前記各ハンマアセンブリにより打撃される部分が、各部分単位、若しくは、複数の部分単位で分割されて屈曲し、
前記分割された各部分が、材料の違いにより高音側から低音側に移るに従って、前記各ハンマアセンブリにより打撃された時のたわみ量が徐々に大きくなるようにされていることを特徴とする請求項２に記載の鍵盤楽器。
【請求項５】
前記弾性部材の前記分割された各部分は、さらに、高音側から低音側に移るに従って徐々に重くされていることを特徴とする請求項２乃至４のいずれかに記載の鍵盤楽器。
【請求項６】
前記弾性部材の前記分割された各部分の重さは、おもりの付加により重さが調整されていることを特徴とする請求項５に記載の鍵盤楽器。
【請求項７】
前記被打撃部は、前記ハンマアセンブリが打撃する側から順に、前記緩衝部材、前記弾性部材、前記緩衝部材の少なくとも３層構造を有することを特徴とする請求項１乃至６のいずれかに記載の鍵盤楽器。
【発明の詳細な説明】
【０００１】
【発明の属する技術分野】
本発明は、リアルな鍵タッチ感を得ることができるようにした電子型ピアノなどの鍵盤楽器に関する。
【０００２】
【従来の技術】
従来より、アコースティックピアノと同様の鍵盤機構を備え、アコースティックピアノと同等の鍵タッチ感を得るようにした電子型ピアノが知られている。
図１２は、電子型ピアノの鍵盤機構の側面図である。同図に示すように、この鍵盤機構Ａは、複数の鍵からなる鍵盤Ｂと、ハンマアセンブリＣと、鍵が押下されることによりハンマアセンブリＣを回動させるアクション機構Ｄと、回動されたハンマアセンブリＣにより打撃される被打撃部Ｅとから概略構成される。なお、この図においては、アクション機構Ｄはアップライトピアノのアクション機構とほぼ同じものが用いられている。
【０００３】
また、ハンマアセンブリＣは、ハンマシャンクＣ１と、アップライトピアノのフェルトハンマに相当する疑似ハンマＣ２とから構成される。この疑似ハンマＣ２はハンマアセンブリＣの重量および重心位置をアップライトピアノのハンマアセンブリと同様にするために設けられており、被打撃部Ｅを打撃するのはハンマシャンクＣ１とされている。
また、電子型ピアノは、図示は省略するが、この鍵盤機構Ａの鍵の運動を検出するセンサと、このセンサの検出結果に基づいて電子音を発生させる音源装置とを備え、これにより、実際のアコースティックピアノの打弦音に相当する電子音を発生するように構成されている。
【０００４】
このようにして、電子型ピアノは、アコースティックピアノのアクション機構Ｄと、アコースティックピアノのハンマアセンブリと重量及び重心位置が同様のハンマアセンブリＣを用いることによってアコースティックピアノとほぼ同じ鍵タッチ感を得ながら、演奏音の音量を調整したり、演奏音をヘッドホンから出力することが可能になされている。
【０００５】
【発明が解決しようとする課題】
ところで、この鍵盤機構Ａの被打撃部Ｅは、主として打撃ノイズを低減するという目的で使用されていたため、単にフェルトなどの緩衝材を２枚重ねしたものを全音域で共通に使用していた。
このため、打弦時の鍵タッチ感は全音域でほぼ同じものになっており、弦の太さ、材質、張力などが異なることによって音域毎に異なるアコースティックピアノの鍵タッチ感とは異なっていた。また、被打撃部Ｅに使用する材料が緩衝材という性格上、ハンマアセンブリＣの衝撃力を徐々に緩和することとなり、実際の打弦時の鍵タッチ感とは大きく異なってしまうという問題があった。
すなわち、この種の弦を持たない鍵盤楽器においては、弦のたわみや弦の質量感、といった鍵タッチ感を十分に再現することができなかった。
【０００６】
本発明は、上述した事情に鑑みてなされたものであり、打弦時の鍵タッチ感をリアルに再現することができる鍵盤楽器を提供することを目的としている。
【０００７】
【課題を解決するための手段】
上述課題を解決するため、請求項１に記載の発明は、鍵と、鍵が押下されることにより回動するハンマアセンブリと、回動する上記ハンマアセンブリにより打撃される被打撃部と、押下された鍵の動作を上記ハンマアセンブリに伝達するアクション機構とを備えた鍵盤楽器において、
前記被打撃部は、緩衝材と弾性部材の多層構造からなり、
前記弾性部材は、金属材料または弾性のある合成樹脂を前記ハンマアセンブリにより打撃される部分を前記ハンマアセンブリ側に屈曲してなる板バネであり、
前記緩衝材は、繊維系、若しくは皮革系または弾力性のある合成樹脂系の材料からなることを特徴としている。
この構成によれば、被打撃部を緩衝材と弾性部材の多層構造にすることによって、被打撃部がハンマアセンブリを構成する部材のいずれかにより打撃された場合に、弾性部材の弾性変形により弦と同様のたわみを再現することができ、また、緩衝部材によりハンマアセンブリの打撃力を緩和するので、ハンマアセンブリや被打撃部などの耐久性を高く維持することができる。
【０００８】
請求項２に記載の発明は、複数の鍵と、各鍵が押下されることにより回動する複数のハンマアセンブリと、回動する上記各ハンマアセンブリにより打撃される被打撃部と、押下された各鍵の動作を上記各ハンマアセンブリに各々伝達する複数のアクション機構とを備えた鍵盤楽器において、
前記被打撃部は、緩衝材と弾性部材の多層構造からなり、
前記弾性部材は、金属材料または弾性のある合成樹脂を前記各ハンマアセンブリにより打撃される部分を前記ハンマアセンブリ側に屈曲してなる板バネであり、
前記緩衝部材は、繊維系、若しくは皮革系または弾力性のある合成樹脂系の材料からなることを特徴としている。
この構成によれば、被打撃部を緩衝材と弾性部材の多層構造にし、弾性部材の各ハンマアセンブリを構成する部材のいずれかにより打撃される部分をハンマアセンブリ側に屈曲させることによって、被打撃部がハンマアセンブリにより打撃された場合に、弾性部材の屈曲部の弾性変形によって弦と同様のたわみを再現することができ、また、緩衝部材によりハンマアセンブリの打撃力を緩和するので、ハンマアセンブリや被打撃部などの耐久性を高く維持することができる。
【０００９】
請求項３に記載の発明は、請求項２に記載の鍵盤楽器において、前記弾性部材は、
前記各ハンマアセンブリにより打撃される各部分が、各部分単位、若しくは、複数の部分単位で分割されて屈曲されており、
前記分割された各部分が、形状の違いにより高音側から低音側に移るに従って、前記各ハンマアセンブリにより打撃された時のたわみ量が徐々に大きくなるようにされていることを特徴としている。
【００１０】
請求項４に記載の発明は、請求項２に記載の鍵盤楽器において、前記弾性部材は、
前記各ハンマアセンブリにより打撃される部分が、各部分単位、若しくは、複数の部分単位で分割されて屈曲し、
前記分割された各部分が、材料の違いにより高音側から低音側に移るに従って、前記各ハンマアセンブリにより打撃された時のたわみ量が徐々に大きくなるようにされていることを特徴としている。
【００１１】
請求項５に記載の発明は、請求項２乃至４のいずれかに記載の鍵盤楽器において、前記弾性部材の前記分割された各部分は、さらに、高音側から低音側に移るに従って徐々に重くされていることを特徴としている。
請求項６に記載の発明は、請求項５に記載の鍵盤楽器において、前記弾性部材の前記分割された各部分の重さは、おもりの付加により重さが調整されていることを特徴としている。
請求項７に記載の発明は、請求項１乃至６のいずれかに記載の鍵盤楽器において、前記被打撃部は、前記ハンマアセンブリが打撃する側から順に、前記緩衝部材、前記弾性部材、前記緩衝部材の少なくとも３層構造を有することを特徴としている。
【００１２】
【発明の実施の形態】
以下、図面を参照して本発明の実施の形態を詳述する。以下に示す実施形態は、本発明の一態様を示すものであり、この発明を限定するものではなく、本発明の範囲内で任意に変更可能である。
【００１３】
（１）  実施形態
（１−１）  実施形態の構成
本発明の実施形態に係る電子型ピアノは、アップライトピアノのアクション機構や鍵等の鍵盤機構１００を有している。図１は、電子型ピアノが有する鍵盤機構１００の側面図である。本実施形態に係る電子型ピアノは、鍵盤機構１００の一部が異なる点を除いて従来の電子型ピアノとほぼ同様の構成であるため、鍵盤機構１００の説明を主として行う。
【００１４】
図１に示すように、この電子型ピアノの下部フレームを構成する棚板１の上面には、この電子型ピアノの全幅に渡って延在する筬後２、筬中３及び筬前４が取り付けられている。この電子型ピアノが具備する鍵（白鍵及び黒鍵）５は、筬中３に取り付けられたバランスキーピン６により上下揺動自在に支持され、筬前４に取り付けられたオーバルピン７により左右方向の揺動が規制されている。また、鍵５は、非押鍵時は筬後２に取り付けられたクッション材８と当接して待機する一方、押鍵により筬前４に取り付けられたクッション材９と当接するまで回動し、後端部に取り付けられたキャプスタン１０によりウイペン２０を回動させるようになされている。
【００１５】
この電子型ピアノにおいては、鍵５の下に押鍵及び押鍵力、または押鍵及び押鍵速度を検出するための図示しないセンサを各々配置し、これらセンサにより各鍵５の運動を検出している。これらセンサが出力する信号は図示しない音源装置に出力され、音源装置は、該信号に基づいて各鍵５に対応する音色及び音高、並びに押鍵力または押鍵速度に対応する音量の楽音をスピーカやヘッドホンから出力するようになされている。この場合のセンサは、鍵５によって打撃される圧電素子や、フォトインタラプタなどの光センサを棚板１の上面に配置すると共に、光センサの光軸を横切るシャッタを鍵５の下面に取り付けて構成してもよい。なお、光センサを用いる場合は、シャッタが光軸を遮光した後に受光するまでの時間から押鍵速度を計測すればよい。
【００１６】
また、この電子型ピアノの全幅に渡って延在するセンターレール１１には、アクションブラケット１２が所定間隔で取り付けられ、各アクションブラケット１２の間に各鍵５に対応するアクション機構１５が配置されている。
【００１７】
すなわち、センターレール１１には、各鍵５にそれぞれ対応するウイペンフレンジ２１が取り付けられ、このウイペンフレンジ２１にウイペン２０がピン２１ａによって回動自在に支持されている。このウイペン２０には、対応するキャプスタン１０が当接するヒールクロス２２、略Ｌ字形状のジャック２３の屈曲部近傍をピン２４ｃによって回動自在に支持するジャックフレンジ２４、ジャック２３を図中時計周り方向に付勢するジャックスプリング２５、キャッチャ３０を弾性的に受け止めるバックチェック３１及びブライドルワイヤ３２が取り付けられている。
【００１８】
ここで、ブライドルワイヤ３２とキャッチャ３０とはブライドルテープ３３で連結され、ハンマアセンブリ４０の復帰動作をウイペン２０の復帰動作に追従させている。なお、ブライドルテープ３３は、ハンマアセンブリ４０の跳ね返りに起因する被打撃部５０の二度打ちを防止するためのものである。
【００１９】
また、センターレール１１には、レギュレーティングブラケット２６を介して電子型ピアノの全幅に渡って延在するレギュレーティングレール１３が取り付けられている。そして、このレギュレーティングレール１３には、回動時のジャック２３のジャック大２３ａが当接するジャックストップフェルト２７及び回動時のジャック２３のジャック小２３ｂが当接するレギュレーティングボタン２８がジャック２３の数（＝鍵５の数）だけ取り付けられている。
【００２０】
さらに、センターレール１１には、バットフレンジ４１が取り付けられ、このバットフレンジ４１にセンターピン４１ａを介してバット４２が回動自在に支持されている。このバット４２には、ハンマアセンブリ４０と、キャッチャシャンク４５を介してキャッチャ３０が取り付けられている。また、バット４２は、バットスプリング４６により図中反時計周り方向に付勢されており、鍵５の非押鍵時はハンマアセンブリ４０がアクションブラケット１２に取り付けられたハンマレール１４に固定されるハンマパッド４７に当接するようになされている。
【００２１】
次に、ハンマアセンブリ４０の構成について説明する。図２に示すように、ハンマアセンブリ４０は、ハンマシャンク４０ａと、ハンマシャンク４０ａの先端に取り付けられた疑似ハンマ４０ｂとから構成されている。この疑似ハンマ４０ｂの重量は、その大きさ、形状及び使用材料などを変えることによって、実際のアップライトピアノのフェルトハンマと同様に、高音側から低音側に移るに従って徐々に重くなるように作られている。これにより、このハンマアセンブリ４０の重量および重心位置は、アップライトピアノのハンマアセンブリと同様になるように設定されている。本実施形態では、図３に示すように疑似ハンマ４０ｂの中間部の外形を変えることによってハンマアセンブリ４０の重量を変化させている。なお、疑似ハンマ４０ｂの重量は、各鍵５毎に設定する方法に限らず、例えば、低音域、中音域、高音域といった具合に音域毎に設定してもよい。
【００２２】
次に、被打撃部５０の構成について説明する。図４は、鍵盤機構１００の被打撃部５０の周辺構成を示す斜視図であり、図５は、被打撃部５０の分解斜視図である。ここで、この被打撃部５０は、押鍵時に回動するハンマアセンブリ４０を構成するハンマシャンク４０ａによって打撃されるものである。
これら図４及び図５に示すように、被打撃部５０は、アクションブラケット１２に取り付けられた鍵盤機構１００の全幅に渡って延在するハンマストップレール５１のハンマアセンブリ４０側に取り付けられており、緩衝材５２、板バネ５３、緩衝材５４の３層構造から構成されている。なお、これら緩衝材５２、５４は板バネ５３に接着されており、板バネ５３がハンマストップレール５１にネジ止めされることによって被打撃部５０がハンマストップレール５１に固定されるようになされている。
この被打撃部５０において、緩衝材５２は、フェルト、ウレタン、皮革、クロスなどの繊維系、皮革系、または弾力性のある合成樹脂系の緩衝材料からなり、鍵盤機構１００の全幅に渡って延在するシート状に形成されている。
【００２３】
図６は、図１に示す鍵盤機構１００を符号αで示す方向から見たときの板バネ５３とその周辺構成を示す図である。なお、この図において、各ハンマアセンブリ４０に対応する番号は鍵番号を示している。
板バネ５３は、ステンレス、洋白、燐青銅、真鍮などの金属材料や弾性を有する合成樹脂などの弾性材料からなり、鍵盤機構１００の全幅方向に渡って櫛形の開口５３ａが形成され、かつ、各櫛の歯と歯の間の部分５３ｂが各々ハンマアセンブリ４０側に屈曲されて形成されている。
さらに詳しく説明すると、板バネ５３の各部分５３ｂは、各ハンマシャンク４０ａと一対一で対向するように配置されており、かつ、側面から見たときに緩やかに弧を描くようにハンマシャンク４０ａ側に屈曲されている（図４、図５参照）。従って、回動するハンマアセンブリ４０によって被打撃部５０が打撃されると、板バネ５３の該ハンマアセンブリ４０と対向する部分５３ｂが撓むようになされている。
【００２４】
ところで、アップライトピアノは、弦が高・中音域では１鍵につき３本、低音域では２本または１本が張られ、この弦の太さが高音域から低音域に移るに従って太くされて質量を増すことにより周波数を低くしている。また、アップライトピアノの弦長は高音域から低音域に移るに従って長くされ、この結果、特に低・中音域では強打の場合に弦が大きく撓むようになっている。
【００２５】
一方、本実施形態に係る鍵盤機構１００においては、被打撃部５０の板バネ５３の各部分５３ｂを、その長さ、幅、厚さなどの形状や材料を変えることによって、アコースティックピアノの弦と同様に、高音側から低音側に移るに従って徐々に質量が増し、かつ、高音側から低音側に移るに従ってハンマアセンブリ４０を構成するハンマシャンク４０ａにより打撃された時の撓み（弾性変形量）が徐々に大きくなるように形成されている。具体的には、図６に示すように、本実施形態の板バネ５３の各部分５３ｂは、高音側から低音側に移るに従ってその長さを徐々に長く形成することによって徐々に重くすると共に、図７に示すように、高音側から低音側に移るに従って裏側に溝を多く形成することによって打撃された時の撓みが徐々に大きくなるように形成されている。
【００２６】
さらに、被打撃部５０の各部分５３ｂは、先端部分が緩衝材５２側に屈曲されて丸みが付けられており、これにより、ハンマシャンク４０ａの強打によって部分５３ｂが緩衝材５２に接触した場合でも緩衝材５２が損傷しないようになされている。
【００２７】
また、緩衝材５４は、フェルト、ウレタン、皮革、クロス、エクセーヌなどの緩衝材料からなり、鍵盤機構１００の全幅に渡って延在するシート状に形成される点で上記緩衝材５２とほぼ同一部材であるが、図５に示すように、板バネ５３の開口５３ａの櫛の歯と部分との境目に対応する領域に縦方向の切れ目が形成されることによって、板バネ５３の各部分５３ｂと密着するように形成されている。なお、緩衝材５２と緩衝材５４とを異なる材料にしてもよい。
これにより、被打撃部５０は、緩衝材５２、５４によりハンマアセンブリ４０の打撃力を緩和してハンマアセンブリ４０及びハンマストップレール５１に伝達する一方、板バネ５３によってアップライトピアノの弦とほぼ同様の機械特性（質量および撓み）を具備できるようになされている。なお、弦の質量は、打弦時に発生する撃力に関わり、この撃力が弦の質量感としてハンマアセンブリ４０を介して鍵５に伝わるのである。
【００２８】
（１−２）  実施形態の動作
次に、この電子型ピアノの鍵盤機構１００の動作を説明する。
まず、演奏者により鍵５が押下されると、ウイペン２０がキャプスタン１０により突き上げられて時計回りに回動し、ジャック２３のジャック大２３ａがバット４２を突き上げてハンマアセンブリ４０を時計回りに回動させ、ハンマアセンブリ４０が被打撃部５０を打撃する（図１参照）。この際、押下された鍵５の押鍵力（または押鍵速度）がセンサにより検出され、電子音源により押下された鍵５に対応する音色及び音高、並びに押鍵力（押鍵速度）に対応する音量の楽音がスピーカやヘッドホンから出力される。
【００２９】
このとき、ジャック２３は、ジャック大２３ａがハンマアセンブリ４０を回動させている間にジャック小２３ｂがレギュレーティングボタン２８に当接するので、レギュレーティングボタン２８との当接部を作用点としてピン２４ｃを中心に反時計周り方向に回動する。これにより、ジャック２３は、ジャック大２３ａがバット４２の下面から図１中左方向に抜けて、バット４２との非当接位置に移動する。一方、ハンマアセンブリ４０は、被打撃部５０を打撃して跳ね返ると、キャッチャ３０がバックチェック３１に当接することにより一時的に停止する。そして、ジャック２３は鍵５の復帰動作に伴うウイペン２０の復帰動作に連動し、ジャック大２３ａが再びバット４２の下部に入り込んで次の打撃動作を可能にする。
【００３０】
このようにして、この電子型ピアノは、ハンマアセンブリ４０と被打撃部５０を除いて従来のアップライトピアノと同じ鍵盤機構を用いるので、ジャック２３がバット４２から抜けるように離脱する際のアップライトピアノと同等の鍵タッチ感を得ることができる。
また、ハンマアセンブリ４０は、疑似ハンマ４０ｂによって重量および重心位置がアップライトピアノのものと同じにされているので、さらにアップライトピアノと同様の鍵タッチ感を得ることができる。
【００３１】
さらに、この電子型ピアノにおいて、被打撃部５０は、ハンマアセンブリ４０により打撃される各部分が、板バネ５３によってアップライトピアノの弦と同様に高音域から低音域に移るに従って質量が増し、かつ、大きく撓むようにされているので、アップライトピアノにおける打弦時の弦の質量感や弦のたわみを再現することができ、打弦時の鍵タッチ感をリアルに再現することが可能となる。
また、被打撃部５０は、ハンマアセンブリ４０により打撃される側から緩衝材５２、板バネ５３、緩衝材５４の３層構造に形成しているので、ハンマアセンブリ４０を傷つけることなくハンマアセンブリ４０の打撃力を緩和でき、ハンマアセンブリ４０や被打撃部５０などの耐久性を高く維持することができる。
【００３２】
さらに、ハンマシャンク４０ａを被打撃部５０に打撃させるように構成したことにより、疑似ハンマ４０ｂが被打撃部５０を打撃するように構成した場合と比較して、鍵盤機構１００の奥行きを短くすることが可能となっている。また、ハンマアセンブリ４０が被打撃部５０を垂直に打撃しないとハンマアセンブリ４０に回動軸を中心とする曲げモーメントが生じるが、ハンマシャンク４０ａが被打撃部５０を打撃する方が、疑似ハンマ４０ｂが被打撃部５０を打撃する場合と比較して打撃点をハンマアセンブリ４０の回動軸に近くできるので、曲げモーメントが小さくなってハンマアセンブリ４０を含めた鍵盤機構１００の耐久性の向上に寄与するのである。
【００３３】
（２）  変形例
なお、本発明は上述した実施形態に限定されるものではなく、以下に例示するような種々の変形が可能である。
【００３４】
（２−１）  第１変形例
上述の実施形態においては、弦の質量感と撓みの両方を再現する場合について述べたが、弦の撓みの再現性、若しくは、弦の質量感の再現性のいずれかを特に重視した形状や材料などで板バネ５３を作成してもよい。従来の緩衝材のみの被打撃部を採用する鍵盤機構では、弦の撓みおよび質量感の何れも再現しておらず、一方を再現するだけでも従来に比して打弦時の鍵タッチ感を向上することが可能である。
【００３５】
（２−２）  第２変形例
上述の実施形態においては、被打撃部５０の板バネ５３の各部分５３ｂを、その長さ、幅、厚さなどの形状や材料を変えることによって質量を変化させる場合について述べたが、図８に示すように、各部分５３ｂの裏側におもり６０を接着剤などで取り付けることによって質量を変化させるようにしてもよい。
【００３６】
（２−３）  第３変形例
上述の実施形態においては、被打撃部５０の板バネ５３を一枚の板バネで構成する場合について述べたが、複数枚の板バネで構成するようにしてもよい。例えば、図９に示すように、上述の実施形態で述べた板バネ５３を、低音域、中音域、高音域毎に別々に作成するようにしてもよい。また、例えば、高音側から低音側に移るに従って各部分の重さを徐々に大きくする場合に、図１０に示すように、全音域のハンマアセンブリ４０と一対一で対応する部分が形成された板バネ５３１と、中音域及び低音域のハンマアセンブリと一対一で対応する部分が形成された板バネ５３２と、低音域のハンマアセンブリと一対一で対応する部分が形成された板バネ５３３とを作成し、これらを重ねて板バネ５３と同機能の板バネを作成するようにしてもよい。この場合、各板バネ５３１〜５３３の部分５３ｂは同一長さに作成してもよい。
【００３７】
（２−４）  第４変形例
被打撃部５０の板バネ５３ｂの形状は上記のものに限らない。例えば、各部分５３ｂをハンマアセンブリ４０と一対一で形成する方法に代えて、全て一体的に形成してもよいし、低音域、中音域、高音域といった具合に、音域毎に部分５３ｂを一体的に形成してもよい。板バネの各部分を一体的に形成して、一体部分では打弦時の質量感と撓みがほぼ同一になったとしても、従来の被打撃部では撓みさえ再現できなかったので、従来に比して打弦時の鍵タッチ感を向上させることが可能である。
【００３８】
また、この場合、各音域の一体部分を音域毎に弾性材料を変更することによって、撓みを変化させることも可能である。
また、弾性材料の変更に代えて、または、弾性材料の変更に加えて、穴開け加工などを行うことによって、各一体部分の領域毎に、ハンマ打撃時の撓みや鍵に伝わる質量感を変化させることも可能である。
【００３９】
（２−５）  第５変形例
上述の実施形態では、ハンマアセンブリ４０のハンマシャンク４０ａの部分が被打撃部５０を打撃するように構成したが、図１０に示すように、疑似ハンマ４０ｂの部分が被打撃部５０を打撃するように構成してもよい。
【００４０】
（２−６）  第６変形例
上述の実施形態では、鍵盤機構の構成をアップライトピアノと同等のものを用いてアップライトピアノの鍵タッチ感を再現する場合について述べたが、グランドピアノの鍵盤機構に適用して、グランドピアノの鍵タッチ感を再現するようにしてもよい。また、本発明は、ピアノ以外の鍵盤楽器、例えば、チェンバロ、チェレスタ、オルガンなどのあらゆる鍵盤楽器およびそれらの練習用楽器に適用することができる。
【００４１】
【発明の効果】
上述したように本発明によれば、アコースティックピアノなどのアコースティック楽器の打弦時の鍵タッチ感をリアルに再現することができる。
【図面の簡単な説明】
【図１】  本発明の実施形態に係る電子型ピアノが有する鍵盤機構の側面図である。
【図２】  鍵盤機構のハンマアセンブリを示す図である。
【図３】  ハンマアセンブリを構成する疑似ハンマの説明に供する図である。
【図４】  鍵盤機構の被打撃部の周辺構成を示す斜視図である。
【図５】  被打撃部の分解斜視図である。
【図６】  図１に示す鍵盤機構を符号αで示す方向から見たときの板バネとその周辺構成を示す図である。
【図７】  板バネの説明に供する図である。
【図８】  第２変形例に係る被打撃部を示す図である。
【図９】  第３変形例に係る被打撃部の板バネを示す図である。
【図１０】  第３変形例に係る被打撃部の板バネを示す図である。
【図１１】  第５変形例の説明に供する図である。
【図１２】  従来の電子型ピアノが有する鍵盤機構の側面図である。
【符号の説明】
５……鍵、１５、Ｄ……アクション機構、４０……ハンマアセンブリ、４０ａ、Ｃ１……ハンマシャンク、４０ｂ、Ｃ２……疑似ハンマ、３０……キャッチャ、４２……バット、５０、Ｅ……被打撃部、５１……ブラケット、５２、５４……緩衝材、５３……板バネ、６０……おもり。
【図１】
0003846314.tif 000002
【図２】
0003846314.tif 000003
【図３】
0003846314.tif 000004
【図４】
0003846314.tif 000005
【図５】
0003846314.tif 000006
【図６】
0003846314.tif 000007
【図７】
0003846314.tif 000008
【図８】
0003846314.tif 000009
【図９】
0003846314.tif 000010
【図１０】
0003846314.tif 000011
【図１１】
0003846314.tif 000012
【図１２】
0003846314.tif 000013